(57)【特許請求の範囲】
【請求項１】
主ロープの端部に設けたロープソケットが連結された支持枠により、断面逆ハット形の主支持枠を備えたかごを吊る構成のエレベータかごにおいて、
前記支持枠は、前記主支持枠を含むかご本体に対して、前記主支持枠の長手方向を軸にして、回動自在に設けられており、この支持枠と前記軸との間には前記エレベータを機械的に停止させる非常止装置を作動させるシャフトが設けられ、前記支持枠，軸及びシャフトはそれぞれ前記主支持枠の断面逆ハット形の中央凹部の外に配置されており、前記ロープソケットが前記主支持枠の逆ハット形の中央底部を貫通して前記支持枠に連結されることによって、常時は前記支持枠が前記主支持枠の逆ハット形の底部下面に接して支持されるように構成され、前記主ロープの緩み等が発生すると前記支持枠が前記軸を中心に回転して前記主支持枠の逆ハット形の底部下面から離れ、この支持枠の回転動作によってエレベータを停止させるスイッチが作動するとともに、前記シャフトが移動して前記非常止装置が作動するように構成したことを特徴とするエレベータかご。
【発明の詳細な説明】
【０００１】
【発明の属する技術分野】
本発明は、主ロープによってかごを吊る構造のエレベータかごに係り、特にかご枠の軽量化に関するものである。
【０００２】
【従来の技術】
図５，図６は従来のエレベータかごの一例であるサイドフォーク式エレベータかごの主要な構造を示す図であり、図５は正面図、図６は図５のＡ−Ａ断面図である。
図において、１は昇降路の上下方向に設置した一対のガイドレール、２は一対の竪枠であり、その上端部は上枠３によって連結されている。４は竪枠２に固定した一対のかご床支持ビームで、その一端部は連結材５によって連結されている。６はかご床支持ビーム４に固定された受け枠、７は同じく下枠である。８は軸９を保持している保持枠で、受け枠６と下枠７に固定されている。１０は一側が軸９によって保持枠８に枢着され、中間は保持枠８を挟んで受け枠６の下面に支持され、他側には主ロープ１１が連結された支持枠である。
【０００３】
２０は保持枠８と支持枠１０の間に設けた第１ばね、２１は第１ばね２０と同軸に設けた第２ばね、２２は第２ばね２１の上部に設けたブラケットである。２３は非常止装置（図示省略）の作動用シャフトで、ブラケット２２に空けられた穴を貫通するボルト２４が設けられている。これによって第２ばね２１によるブラケット２２の上昇を規制している。シャフト２３の両端には、それぞれレバー２５が固定されている。２６はかご床支持ビーム４に取り付けられるかご床、２７はかご室である。
【０００４】
この構成のかごにおいて、主ロープ１１が緩んだときには、第１ばね２０によって支持枠１０は軸９を中心に図５の反時計方向に回転し、第２ばね２１は圧縮されて、ブラケット２２は下降する、これにより図示省略したスイッチが動作してエレベータを停止させる。また、ブラケット２２の下降によりシャフト２３が時計方向に回転してレバー２５も時計方向に回転し、これによって非常止装置を作動させて、エレベータを機械的に停止させる。
【０００５】
【発明が解決しようとする課題】
前記構成のエレベータかごは、受け枠６、下枠７、支持枠１０など多くの部材をかご重量を支えるための強度部材にする必要があるため、かご枠全体の重量が重くなっている。そのため、かご枠の現場への搬入などを考慮すると、工場で予め組立てておける範囲が限られてくる。換言すれば、かご枠の部品点数が多くなるため、現場での据付や調整に時間が掛かるという問題があった。
【０００６】
【課題を解決するための手段】
本発明は、主ロープの端部に設けたロープソケットが連結された支持枠により、断面逆ハット形の主支持枠を備えたかごを吊る構成のエレベータかごにおいて、支持枠は、主支持枠を含むかご本体に対して、前記主支持枠の長手方向を軸にして、回動自在に設けられており、この支持枠と前記軸との間にはエレベータを機械的に停止させる非常止装置を作動させるシャフトが設けられ、支持枠，軸及びシャフトはそれぞれ前記主支持枠の断面逆ハット形の中央凹部の外に配置されており、前記ロープソケットが前記主支持枠の逆ハット形の中央底部を貫通して前記支持枠に連結されることによって、常時は前記支持枠が前記主支持枠の逆ハット形の底部下面に接して支持されるように構成したものである。そして、主ロープの緩み等が発生するとばねや支持枠の自重等によって支持枠が前記軸を中心に回転して主支持枠の逆ハット形の底部下面から離れ、この支持枠の回転動作によってエレベータを停止させるスイッチが作動するとともに、前記シャフトが移動して前記非常止装置が作動するように構成したものである。
【０００７】
【発明の実施の形態】
本発明の実施の形態を図１〜図４により説明する。図１はかご枠の要部正面図、図２は図１の平面図、図３は図２のＢ−Ｂ断面図、図４は図３のＣ―Ｃ断面図である。
図において３０は断面Ｕ字形の一対のガイドレール、４０は一対のかご床支持ビーム４に固定された主支持枠、４１は同じく下枠であり、ヒンジ４２の一片が固定されている。４３は支持枠であり一側はヒンジ４１の他片に固定され、他側は主支持枠４０の下面に接するように配置されている。４４は主ロープ１１の端部に固定したロープソケットで、主支持枠４０，支持枠４３を貫通してばねにより支持枠４３に連結されている。４５は主支持枠４０と支持枠４３の間に設けた圧縮ばねである。
【０００８】
５０は支持枠４３に取り付けられたシャフト、５１は竪枠２に枢着されたセフティレバーで、一片はシャフト５０の下面に接しており、他片はローラ５２を保持している。このローラ５２が上昇してガイドレール３０に押圧されると非常止装置５３が作動してエレベータを機械的に停止させる。５４は主ロープ１１の緩み等を検出するスイッチで主支持枠４０に固定されている。５５は支持枠４３に固定されたプレートである。また図５，図６と同一符号は同一のものを示している。
【０００９】
本実施の形態において、主ロープ１１が緩んだときには、ばね４５及び自重によって支持枠４３はヒンジ４２を中心に図３の反時計方向に回転する。これにより図４において支持枠４３は下降しプレート５５によってスイッチ５４が動作してエレベータを停止させる。
更に、支持枠４３の回転とともにシャフト５０も同方向に移動する。シャフト５０が移動すると、図１においてセフティレバー５１は時計方向に回転し、ローラ５２を押し上げて非常止装置５３を作動させエレベータを機械的に停止させる。
【００１０】
上記のように本実施の形態では、従来使用していた受け枠６に代えて主支持枠４０を使用し、主ロープ１１に掛るかごの重量は主支持枠４０で支持する構成にしている。そのため通常時には支持枠４３及びヒンジ４２には荷重が掛かっていないため、支持枠４３を強度部材にする必要がない。また下枠４１はヒンジ４２を支持するだけで良いからこれも強度部材にする必要がない。したがって従来に比べ強度部材を減少させることができるため、かご枠の重量を軽量化できるとともに、コストダウンにもなる。
またかご枠の軽量化によりかご枠の現場への搬入も容易になる。そのため多くの部分を工場で予め組立てておけるので、現場での据付や調整が容易になるという効果がある。
【００１１】
更に主ロープ１１が緩むと支持枠４３が主支持枠４０から離れてスイッチ５４や非常止装置５３を作動させる構成であるため、シャフト５０は主ロープ１１が緩んだときに僅かに荷重が掛るだけであるのでシャフト５０及びヒンジ４２とも強度を必要としないという利点がある。更にまた、シャフト５０は支持枠４３の回転に伴って下降するのみで非常止装置５３を作動できるため、従来に比べて構造を簡素化できる。
【００１２】
前記実施の形態では、非常止装置５３としてローラ５２を使用した、いわゆる早ぎき非常止装置を使用しているが、楔を上昇させる次第ぎきの非常止装置を使用しても良い。またスイッチ５４を作動させる構成はプレート５５に限ることはなく、支持枠４３の動作に連動できるものであれば他の構成であっても良い。更に主ロープ１１が緩んだとき支持枠４３は主支持枠４０から完全に離れる必要はなく、スイッチ５４等を作動させることができれば、その一部のみが離れるように構成してもよい。
【００１３】
【発明の効果】
以上説明したように、本発明によれば従来に比べてかご枠を軽量化することができる。更に据付の容易化、コストダウン、非常止装置の作動機構の簡素化などを実現することができる。
【図面の簡単な説明】
【図１】本発明の実施の形態を示す図で、かご枠の要部正面図ある。
【図２】図１の平面図である。
【図３】図２のＢ―Ｂ断面図である。
【図４】図３のＣ―Ｃ断面図である。
【図５】従来のエレベータかごの主要な構造を示す正面図である。
【図６】図５のＡ−Ａ断面図である。
【符号の説明】
１，３０  ガイドレール
２  竪枠
４  かご床支持ビーム
７，４１  下枠
１０，４３  支持枠
１１  主ロープ
２３，５０  シャフト
２５，５１  レバー
４０  主支持枠
４４  ロープソケット
５３  非常止装置
５４  スイッチ
【図１】
0004158380.tif 000002
【図２】
0004158380.tif 000003
【図３】
0004158380.tif 000004
【図４】
0004158380.tif 000005
【図５】
0004158380.tif 000006
【図６】
0004158380.tif 000007